(57)【要約】【課題】画像の記録を効率よく行うことができるインクジェット記録装置を提供する。【解決手段】インクジェット記録装置は、載置部と、記録部と、第一移動部と、第二移動部を備える。載置部は、第一投入領域から投入された第一記録媒体を載せ置く第一載置面領域と、第二投入領域から投入された第二記録媒体を載せ置く第二載置面領域を含む。記録部は、インクを吐出するノズルが形成されたインクジェットヘッドを備える。第一移動部は、記録部を第一載置面領域と第二載置面領域との間を移動させる。第二移動部は、第一移動部によって第一載置面領域に移動した記録部を主走査方向に移動させ、第一移動部によって第二載置面領域に移動した記録部を主走査方向に移動させる。【選択図】図１
2015058553.tif 000002
【特許請求の範囲】
【請求項１】
第一投入領域から投入された第一記録媒体を載せ置く第一載置面領域と、第二投入領域から投入された第二記録媒体を載せ置く第二載置面領域と、を含む載置部と、
インクを吐出するノズルが形成されたインクジェットヘッドを備える記録部と、
前記記録部を前記第一載置面領域と前記第二載置面領域との間を移動させる第一移動部と、
前記第一移動部によって前記第一載置面領域に移動した前記記録部を主走査方向に移動させ、前記第一移動部によって前記第二載置面領域に移動した前記記録部を前記主走査方向に移動させる第二移動部と、を備えるインクジェット記録装置。
【請求項２】
前記載置部において前記第一載置面領域と前記第二載置面領域とは、前記主走査方向に直交する副走査方向に配置され、
前記第一移動部は、前記記録部を前記副走査方向に移動させる、請求項１に記載のインクジェット記録装置。
【請求項３】
前記記録部は、前記第二移動部に取り付けられ、
前記第二移動部は、前記記録部が取り付けられた状態で、前記第一移動部に取り付けられ、
前記第一移動部は、前記第二移動部と共に前記記録部を前記副走査方向に移動させる、請求項２に記載のインクジェット記録装置。
【発明の詳細な説明】
【技術分野】
【０００１】
本発明は、インクジェットヘッドを備える記録部を主走査方向に移動させながら画像を記録するインクジェット記録装置に関する。
【背景技術】
【０００２】
インクジェット記録装置に関する技術が提案されている。例えば、特許文献１には、描画装置が開示されている。この描画装置の機体には、床面に対して水平に、Ｙ軸方向に伸びるレール状のヘッド案内部材が支持されている。ヘッド案内部材にはキャリッジがＹ軸駆動機構を介して移動可能に取り付けられ、キャリッジにはインク吐出型の複数の印字ヘッドを搭載するヘッド部が連結している。描画装置において、載置台は、Ｙ軸方向に幅広に形成される。載置台は、１／２ずつの領域に分割され、それぞれの領域には位置決め体が設けられる。この載置台によれば、２枚のメディアを載置台上にセットすることができ、同時に印字作画を行うことができる。また、２台の載置台を有する描画装置が開示されている。
【先行技術文献】
【特許文献】
【０００３】
【特許文献１】特開２００６−１３６８６７号公報
【発明の概要】
【発明が解決しようとする課題】
【０００４】
インクジェット記録装置は、記録媒体に画像を高品質に記録することができる。そのため、インクジェット記録装置は、家庭用途の他、産業分野においても利用されている。発明者は、インクジェットヘッドを備える記録部を主走査方向に移動させながら画像を記録するインクジェット記録装置を用いて画像形成物を生産する場合において、スムーズな記録動作を可能とし、生産性を向上させることができる構成について検討を行った。
【０００５】
本発明は、画像の記録を効率よく行うことができるインクジェット記録装置を提供することを目的とする。
【課題を解決するための手段】
【０００６】
本発明の一側面は、第一投入領域から投入された第一記録媒体を載せ置く第一載置面領域と、第二投入領域から投入された第二記録媒体を載せ置く第二載置面領域と、を含む載置部と、インクを吐出するノズルが形成されたインクジェットヘッドを備える記録部と、前記記録部を前記第一載置面領域と前記第二載置面領域との間を移動させる第一移動部と、前記第一移動部によって前記第一載置面領域に移動した前記記録部を主走査方向に移動させ、前記第一移動部によって前記第二載置面領域に移動した前記記録部を前記主走査方向に移動させる第二移動部と、を備えるインクジェット記録装置である。
【０００７】
これによれば、記録部を第一載置面領域と第二載置面領域の間を移動させ、第一載置面領域に載せ置かれた第一記録媒体と第二載置面領域に載せ置かれた第二記録媒体に画像を記録することができる。画像の記録を効率よく行うことが可能となる。
【０００８】
このインクジェット記録装置では、前記載置部において前記第一載置面領域と前記第二載置面領域とは、前記主走査方向に直交する副走査方向に配置され、前記第一移動部は、前記記録部を前記副走査方向に移動させる、ようにしてもよい。これによれば、記録部を第一載置面領域と第二載置面領域の間をスムーズに移動させることができる。
【０００９】
前記記録部は、前記第二移動部に取り付けられ、前記第二移動部は、前記記録部が取り付けられた状態で、前記第一移動部に取り付けられ、前記第一移動部は、前記第二移動部と共に前記記録部を前記副走査方向に移動させる、ようにしてもよい。これによれば、記録部を主走査方向と副走査方向にスムーズに移動させることができる。記録部を移動させる移動装置を小型化することができる。
【発明の効果】
【００１０】
本発明によれば、画像の記録を効率よく行うことができるインクジェット記録装置を得ることができる。
【図面の簡単な説明】
【００１１】
【図１】待機状態のインクジェット記録装置の概略構成を示す斜視図である。
【図２】記録部が第一載置面領域に移動し、第一載置面領域に載せ置かれた第一記録媒体に画像の記録を行っているインクジェット記録装置の概略構成を示す斜視図である。
【図３】記録部が第二載置面領域に移動し、第二載置面領域に載せ置かれた第二記録媒体に画像の記録を行っているインクジェット記録装置の概略構成を示す斜視図である。
【図４】インクジェット記録装置で実行される記録処理を示すフローチャートである。
【発明を実施するための形態】
【００１２】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１３】
＜インクジェット記録装置＞
インクジェット記録装置１０について、図１〜図３を参照して説明する。インクジェット記録装置１０は、載置部２０と、記録部３０と、第一移動部５０と、第二移動部７０と、制御装置９０を備える。インクジェット記録装置１０は、シリアル型の記録装置であり、記録部３０を主走査方向に往復移動させつつ副走査方向にも移動させ、記録媒体１２に所定の画像を記録する。副走査方向は、主走査方向に直交する方向である。副走査方向への移動は、主走査方向の移動に応じて間欠的に行われる。記録媒体１２としては、各種の産業資材が例示される。記録媒体１２となる産業資材としては、例えば、建築物の内壁材、外壁材若しくはドア等となる各基材、又は、建築物に据え付けられる製品の外板若しくは各種の家具の外板等となる各基材が挙げられる。画像の記録には、所定の色のインクが用いられる。例えば、ブラックとマゼンタとイエローとシアンのインクが用いられる。本実施形態では、画像の記録に用いるインク色として、ブラックとマゼンタとイエローとシアンの４色を例に説明する。
【００１４】
載置部２０は、記録媒体１２を載せ置くテーブルである。載置部２０は、記録媒体１２を載せ置く領域として、第一載置面領域Ｒ１と、第二載置面領域Ｒ２を含む（図２参照）。第一載置面領域Ｒ１は、載置部２０の表面のうち、副走査方向の第一側に配置された領域である。第二載置面領域Ｒ２は、載置部２０の表面のうち、副走査方向の第二側に配置された領域である。第一載置面領域Ｒ１と第二載置面領域Ｒ２を含む載置部２０の表面には、複数の吸引孔２１が形成される。複数の吸引孔２１は、主走査方向と副走査方向に整列した状態で形成される。複数の吸引孔２１は、載置部２０の内部でそれぞれ連なって通じ合い、吸引装置（不図示）に繋がれる。吸引装置は、例えば、真空ポンプ又は吸引ブロアにより構成される。本実施形態では、第一載置面領域Ｒ１に載せ置かれる記録媒体１２を、「第一記録媒体１２Ａ」といい、第二載置面領域Ｒ２に載せ置かれる記録媒体１２を、「第二記録媒体１２Ｂ」という。第一記録媒体１２Ａと第二記録媒体１２Ｂを区別せず又は総称する場合、「記録媒体１２」という。
【００１５】
作業者は、第一記録媒体１２Ａを第一投入領域Ｒ３から投入し第一載置面領域Ｒ１に載せ置く（図３及び図１参照）。第一記録媒体１２Ａは、第一載置面領域Ｒ１の所定の位置に位置決めされた状態で載せ置かれる。第一載置面領域Ｒ１に載せ置かれた第一記録媒体１２Ａは、幾つかの吸引孔２１を覆うこととなる。これにより、第一記録媒体１２Ａは、第一載置面領域Ｒ１に吸い付けられて固定される。作業者は、第二記録媒体１２Ｂを第二投入領域Ｒ４から投入し第二載置面領域Ｒ２に載せ置く（図２及び図１参照）。第二記録媒体１２Ｂは、第二載置面領域Ｒ２の所定の位置に位置決めされた状態で載せ置かれる。第二載置面領域Ｒ２に載せ置かれた第二記録媒体１２Ｂは、幾つかの吸引孔２１を覆うこととなる。これにより、第二記録媒体１２Ｂは、第二載置面領域Ｒ２に吸い付けられて固定される。第一載置面領域Ｒ１における第一記録媒体１２Ａの固定と、第二載置面領域Ｒ２における第二記録媒体１２Ｂの固定は、吸引とは異なる手法にて行うようにしてもよい。図２及び図３において、２点鎖線（想像線）で示す記録媒体１２は、実線で示す記録媒体１２を第一投入領域Ｒ３又は第二投入領域Ｒ４から投入し、第一載置面領域Ｒ１又は第二載置面領域Ｒ２の各領域に載せ置いた後の記録媒体、又は、第一載置面領域Ｒ１又は第二載置面領域Ｒ２の各領域に載せ置かれ画像が記録された後の取り出される前の記録媒体を示す。
【００１６】
図１〜図３では、第一載置面領域Ｒ１に１枚の第一記録媒体１２Ａを載せ置き、第二載置面領域Ｒ２に１枚の第二記録媒体１２Ｂを載せ置く態様を図示しているが、各領域に載せ置かれる第一記録媒体１２Ａ及び第二記録媒体１２Ｂの数と配置は、これとは異なる態様であってもよい。各領域に載せ置かれる第一記録媒体１２Ａ及び第二記録媒体１２Ｂの数と配置は、第一載置面領域Ｒ１に対する第一記録媒体１２Ａのサイズと第二載置面領域Ｒ２に対する第二記録媒体１２Ｂのサイズ、及び／又は、第一記録媒体１２Ａ及び第二記録媒体１２Ｂにそれぞれ記録される画像の画像データ等に基づき適宜決定される。例えば、第一載置面領域Ｒ１に複数の第一記録媒体１２Ａを主走査方向及び／又は副走査方向に整列させて載せ置き、第二載置面領域Ｒ２に複数の第二記録媒体１２Ｂを主走査方向及び／又は副走査方向に整列させて載せ置くようにしてもよい。
【００１７】
記録部３０は、インクジェットヘッド３１Ｋと、インクジェットヘッド３１Ｍと、インクジェットヘッド３１Ｙと、インクジェットヘッド３１Ｃと、キャリッジ３２を備える。インクジェットヘッド３１Ｋは、ブラックのインクを吐出するインクジェットヘッドである。インクジェットヘッド３１Ｍは、マゼンタのインクを吐出するインクジェットヘッドである。インクジェットヘッド３１Ｙは、イエローのインクを吐出するインクジェットヘッドである。インクジェットヘッド３１Ｃは、シアンのインクを吐出するインクジェットヘッドである。インクジェットヘッド３１Ｋ，３１Ｍ，３１Ｙ，３１Ｃには、各色のインクを吐出するノズルが形成される。インクジェットヘッド３１Ｋ，３１Ｍ，３１Ｙ，３１Ｃは、同様の構成を有する。各色のインクは、色毎のインクタンク（不図示）に貯留され、各色のインク流路（不図示）を流れて、対応する色のインクジェットヘッド３１Ｋ，３１Ｍ，３１Ｙ，３１Ｃにそれぞれ供給される。
【００１８】
キャリッジ３２には、インクジェットヘッド３１Ｋ，３１Ｍ，３１Ｙ，３１Ｃが搭載される。インクジェットヘッド３１Ｋ，３１Ｍ，３１Ｙ，３１Ｃは、主走査方向に隣り合った状態でキャリッジ３２に搭載される。キャリッジ３２におけるインクジェットヘッド３１Ｋ，３１Ｍ，３１Ｙ，３１Ｃの配列順序は、図１〜図３とは異なる順序としてもよい。これらの配列順序は、諸条件を考慮し適宜決定される。
【００１９】
第一移動部５０と第二移動部７０は、記録部３０を移動させる移動装置を構成する。先ず、第二移動部７０について説明する。第二移動部７０は、記録部３０を主走査方向に移動させる。第二移動部７０は、２個のプーリ７１，７２と、モータ７３と、タイミングベルト７４を含む。２個のプーリ７１，７２は、主走査方向の両側にそれぞれ設けられる。主走査方向の第三側に設けられたプーリ７１は、支持部７５に軸受７６を介して取り付けられた回転軸７７を介して、主走査方向に対応した方向に回転自在に支持される。主走査方向の第四側に設けられたプーリ７２は、支持部７８に取り付けられたモータ７３の回転軸に連結される。プーリ７２とモータ７３の回転軸の連結は、直接又は減速機等を介して行われる。モータ７３は、プーリ７２を主走査方向に対応した方向に回転する。モータ７３としては、回転を高精度に制御可能なモータが採用される。例えば、エンコーダ付きのサーボモータが採用される。タイミングベルト７４は、張力が作用した状態でプーリ７１，７２に架け渡される。タイミングベルト７４には、キャリッジ３２に固定された支持部７９を介して記録部３０が取り付けられる。
【００２０】
インクジェット記録装置１０で画像の記録が行われる場合（図２及び図３参照）、モータ７３が時計回りと反時計回りに往復して回転する。そして、モータ７３の回転に伴い、プーリ７２が左右両側に往復して回転する（プーリ７２の回転方向については、図１でプーリ７２の付近に示す「弧状の矢印」参照）。モータ７３が所定の方向に回転することでプーリ７２が左回転すると、タイミングベルト７４も左回転する。プーリ７１は、左回転するタイミングベルト７４に従動して回転する。これに伴い、記録部３０は、主走査方向の第三側から第四側に移動する。記録部３０が主走査方向の第四側の移動端に到達すると、モータ７３の回転方向は反転し、プーリ７２は、右回転する。プーリ７２が右回転すると、タイミングベルト７４も右回転する。プーリ７１は、右回転するタイミングベルト７４に従動して回転する。これに伴い、記録部３０は、主走査方向の第四側から第三側に移動する。記録部３０が主走査方向の第三側の移動端に到達すると、モータ７３の回転方向は再度反転し、プーリ７２は、再度左回転する。第二移動部７０による記録部３０の主走査方向への往復移動は、画像の記録が終了するまで繰り返される。
【００２１】
第一移動部５０は、記録部３０を第一載置面領域Ｒ１と第二載置面領域Ｒ２の間を移動させる。第一移動部５０による記録部３０の移動は、記録部３０が取り付けられた第二移動部７０を移動させて行われる。インクジェット記録装置１０では、載置部２０において第一載置面領域Ｒ１と第二載置面領域Ｒ２が副走査方向に配置されているため、第一移動部５０による移動方向は、副走査方向となる。第一移動部５０は、移動機構部５１，６１を備える。載置部２０を基準として、移動機構部５１は主走査方向の第三側に設けられ、移動機構部６１は主走査方向の第四側に設けられる。移動機構部５１，６１は、同様の構成を有する。即ち、移動機構部５１は、ボールねじ５２と、モータ５５を含み、移動機構部６１は、ボールねじ６２と、モータ６５を含む。
【００２２】
移動機構部５１において、ボールねじ５２のナット部５３には、第二移動部７０の主走査方向の第三側に設けられた支持部７５が取り付けられる。ボールねじ５２のねじ軸５４は、モータ５５の回転軸に連結される。ねじ軸５４とモータ５５の回転軸の連結は、直接又は減速機等を介して行われる。モータ５５は、ねじ軸５４を、記録部３０を移動させる移動方向に対応した方向に回転する。モータ５５としては、回転を高精度に制御可能なモータが採用される。例えば、エンコーダ付きのサーボモータが採用される。移動機構部６１において、ボールねじ６２のナット部６３には、第二移動部７０の主走査方向の第四側に設けられた支持部７８が取り付けられる。ボールねじ６２のねじ軸６４は、モータ６５の回転軸に連結される。ねじ軸６４とモータ６５の回転軸の連結は、直接又は減速機等を介して行われる。モータ６５は、ねじ軸６４を、記録部３０を移動させる移動方向に対応した方向に回転する。モータ６５としては、モータ５５と同様、回転を高精度に制御可能なモータが採用される。例えば、エンコーダ付きのサーボモータが採用される。
【００２３】
第一移動部５０において、モータ５５，６５は、同期して駆動される。モータ５５，６５は、同じ回転速度で同一方向に同一量だけ回転する。ねじ軸５４，６４は、同一方向に同一量だけそれぞれ回転し、ナット部５３，６３は、ねじ軸５４，６４に沿って同一方向に同一量だけそれぞれ移動する。インクジェット記録装置１０で画像の記録が行われる場合（図２及び図３参照）、第一移動部５０による副走査方向への移動は、記録部３０が主走査方向の第四側の移動端部及び／又は第三側の移動端部に移動したタイミングに対応して間欠的に行われる。
【００２４】
制御装置９０は、制御部９１と、操作部９２と、表示部９３を備える。制御部９１は、例えば、ＣＰＵと、ＲＯＭと、ＲＡＭと、ストレージデバイスを含む。制御部９１（ＣＰＵ）は、インクジェット記録装置１０で実行される各種の処理のコンピュータプログラムを実行する等して、インクジェット記録装置１０を制御する。コンピュータプログラムは、ストレージデバイスに記憶されている。制御部９１は、後述する記録処理を実行する。記録処理において、制御部９１は、インクジェットヘッド３１Ｋ，３１Ｍ，３１Ｙ，３１Ｃにそれぞれ形成されたノズルからの各色のインクの吐出を制御する。インクジェットヘッド３１Ｋ，３１Ｍ，３１Ｙ，３１Ｃでの各色のインクの吐出は、記録部３０で記録される画像に対応した画像データに従い制御される。また、制御部９１は、第一移動部５０と第二移動部７０の駆動を制御する。
【００２５】
操作部９２は、インクジェット記録装置１０に対する所定の指令を入力するユーザインターフェースである。操作部９２は、例えば、キーボードとマウスを含む。操作部９２として、キーボードとは異なる所定の操作スイッチを設けるようにしてもよい。表示部９３は、所定の情報を表示する。
【００２６】
＜記録処理＞
インクジェット記録装置１０で実行される記録処理について、図４を参照して説明する。第一載置面領域Ｒ１への第一記録媒体１２Ａの出し入れと、第二載置面領域Ｒ２への第二記録媒体１２Ｂの出し入れの各作業は、例えば、少なくとも２人の作業者がそれぞれ行う。即ち、２人の作業者のうちの１人（不図示  以下「第一作業者」という）は、載置部２０に対して副走査方向の第一側で第一載置面領域Ｒ１への第一記録媒体１２Ａの出し入れを行う。後述する操作部９２の操作は、第一作業者が行うようにしてもよい。本実施形態では、第一作業者が操作部９２を操作することとする。２人の作業者のうちの他の１人（不図示  以下「第二作業者」という）は、載置部２０に対して副走査方向の第二側で第二載置面領域Ｒ２への第二記録媒体１２Ｂの出し入れを行う。記録処理は、第一作業者が操作部９２を介して画像の記録を行う載置面領域を選択することで開始される。インクジェット記録装置１０は、初期状態として、図１に示す待機状態となる。
【００２７】
記録処理を開始した制御部９１は、第一載置面領域Ｒ１又は第二載置面領域Ｒ２の何れかを選択する選択指令を取得したか否かを判断する（Ｓ１）。選択指令が取得されていない場合（Ｓ１：Ｎｏ）、制御部９１は、Ｓ１の判断を繰り返して実行する。選択指令が取得された場合（Ｓ１：Ｙｅｓ）、制御部９１は、取得された選択指令が第一載置面領域Ｒ１又は第二載置面領域Ｒ２の何れであるかを判断する（Ｓ３）。例えば、新たな第一記録媒体１２Ａが第一載置面領域Ｒ１に載せ置かれ、第一作業者が操作部９２を操作して第一載置面領域Ｒ１を示す選択指令を入力したとする。この場合、制御部９１は、第一載置面領域Ｒ１が選択されたと判断し（Ｓ３：第一載置面領域）、処理をＳ５に移行する。一方、新たな第二記録媒体１２Ｂが第二載置面領域Ｒ２に載せ置かれ、第一作業者が操作部９２を操作して第二載置面領域Ｒ２を示す選択指令を入力したとする。この場合、制御部９１は、第二載置面領域Ｒ２が選択されたと判断し（Ｓ３：第二載置面領域）、処理をＳ１１に移行する。
【００２８】
Ｓ５で制御部９１は、第一移動部５０による記録部３０の第一載置面領域Ｒ１の側への移動を制御する。第一移動部５０では、モータ５５，６５が回転を開始する。モータ５５，６５の回転に伴い、待機状態のインクジェット記録装置１０で第一載置面領域Ｒ１と第二載置面領域Ｒ２の境界部分に配置された第二移動部７０に取り付けられた記録部３０は、副走査方向の第一側に移動する。また、制御部９１は、第二移動部７０による記録部３０の主走査方向の所定の位置への移動を制御する。第二移動部７０では、モータ７３の回転に伴いタイミングベルト７４が回転し、記録部３０は、主走査方向の所定の位置へ移動する。このようにして、記録部３０は、第一載置面領域Ｒ１の側で画像の記録開始位置として予め定められた位置に配置される。制御部９１は、所定のセンサ（例えば、モータ５５，６５，７３がそれぞれ備えるエンコーダ）からの信号に従い、記録部３０が前述した記録開始位置に移動したことを検出する（Ｓ７）。
【００２９】
次に、制御部９１は、記録部３０での画像の記録を制御する（Ｓ９  図２参照）。Ｓ９で制御部９１は、第二移動部７０による記録部３０の主走査方向への往復移動を制御する。その際、制御部９１は、画像データに対応した各色のインクの吐出を制御する。更に、制御部９１は、第一移動部５０による記録部３０の副走査方向への間欠移動を制御する。インクジェットヘッド３１Ｋ，３１Ｍ，３１Ｙ，３１Ｃにそれぞれ形成されたノズルから吐出された各色のインクは、第一記録媒体１２Ａに着弾する。このようにして、第一記録媒体１２Ａには、画像データに対応した画像が記録される。制御部９１は、処理の対象となった画像データの全部の部分について、インクの吐出が完了するまで前述した各制御を継続する。
【００３０】
Ｓ９の実行途中、第二作業者は、第二記録媒体１２Ｂを第二投入領域Ｒ４から投入し第二載置面領域Ｒ２に載せ置く（図２参照）。Ｓ９が終了した後、制御部９１は、処理をＳ１７に移行する。
【００３１】
Ｓ１１で制御部９１は、第一移動部５０による記録部３０の第二載置面領域Ｒ２の側への移動を制御する。第一移動部５０では、モータ５５，６５が回転を開始する。モータ５５，６５の回転に伴い、待機状態のインクジェット記録装置１０で第一載置面領域Ｒ１と第二載置面領域Ｒ２の境界部分に配置された第二移動部７０に取り付けられた記録部３０は、副走査方向の第二側に移動する。また、制御部９１は、第二移動部７０による記録部３０の主走査方向の所定の位置への移動を制御する。第二移動部７０では、モータ７３の回転に伴いタイミングベルト７４が回転し、記録部３０は、主走査方向の所定の位置へ移動する。このようにして、記録部３０は、第二載置面領域Ｒ２の側で画像の記録開始位置として予め定められた位置に配置される。制御部９１は、所定のセンサ（例えば、モータ５５，６５，７３がそれぞれ備えるエンコーダ）からの信号に従い、記録部３０が前述した記録開始位置に移動したことを検出する（Ｓ１３）。
【００３２】
次に、制御部９１は、記録部３０での画像の記録を制御する（Ｓ１５  図３参照）。Ｓ１５で制御部９１は、第二移動部７０による記録部３０の主走査方向への往復移動を制御する。その際、制御部９１は、画像データに対応した各色のインクの吐出を制御する。更に、制御部９１は、第一移動部５０による記録部３０の副走査方向への間欠移動を制御する。インクジェットヘッド３１Ｋ，３１Ｍ，３１Ｙ，３１Ｃにそれぞれ形成されたノズルから吐出された各色のインクは、第二記録媒体１２Ｂに着弾する。このようにして、第二記録媒体１２Ｂには、画像データに対応した画像が記録される。制御部９１は、処理の対象となった画像データの全部の部分について、インクの吐出が完了するまで前述した各制御を継続する。
【００３３】
Ｓ１５の実行途中、第一作業者は、第一記録媒体１２Ａを第一投入領域Ｒ３から投入し第一載置面領域Ｒ１に載せ置く（図３参照）。Ｓ１５が終了した後、制御部９１は、処理を図４のＳ１７に移行する。
【００３４】
Ｓ１７で制御部９１は、記録部３０の待機位置への移動を制御する。第二移動部７０では、モータ７３が回転を開始する。モータ７３の回転に伴いタイミングベルト７４が回転し、記録部３０は、待機位置に対応した主走査方向の第三側の所定の位置まで移動する。制御部９１は、所定のセンサ（例えば、モータ７３が備えるエンコーダ）からの信号に従い、記録部３０が前述した位置に移動したことを検出する。Ｓ１７がＳ９の実行後に行われている場合、第一移動部５０では、モータ５５，６５が回転を開始し、モータ５５，６５の回転に伴い、第一載置面領域Ｒ１内にある記録部３０は、副走査方向の第二側に向けて第一載置面領域Ｒ１と第二載置面領域Ｒ２の境界部分まで移動する。一方、Ｓ１７がＳ１５の実行後に行われている場合、第一移動部５０では、モータ５５，６５が回転を開始し、モータ５５，６５の回転に伴い、第二載置面領域Ｒ２内にある記録部３０は、副走査方向の第一側に向けて第一載置面領域Ｒ１と第二載置面領域Ｒ２の境界部分まで移動する。制御部９１は、所定のセンサ（例えば、モータ５５，６５がそれぞれ備えるエンコーダ）からの信号に従い、記録部３０が前述した境界部分に移動したことを検出する。Ｓ１７の実行により、インクジェット記録装置１０は、待機状態となる（図１参照）。
【００３５】
続けて、制御部９１は、記録処理の終了を示す終了指令を取得したか否かを判断する（Ｓ１９）。終了指令は、第一作業者が操作部９２を操作して入力される。終了指令が取得されていない場合（Ｓ１９：Ｎｏ）、制御部９１は、処理をＳ１に戻し、Ｓ１以降の処理を上記同様に実行する。終了指令が取得された場合（Ｓ１９：Ｙｅｓ）、制御部９１は、記録処理を終了する。
【００３６】
＜本実施形態の効果＞
載置部２０に第一載置面領域Ｒ１と第二載置面領域Ｒ２を設け、第一移動部５０により記録部３０を第一載置面領域Ｒ１と第二載置面領域Ｒ２の間を移動させることとした（図１〜図３参照）。そして、記録部３０を第二移動部７０で主走査方向に往復移動させつつ第一移動部５０で副走査方向に間欠移動させ、第一載置面領域Ｒ１に載せ置かれた第一記録媒体１２Ａと、第二載置面領域Ｒ２に載せ置かれた第二記録媒体１２Ｂにそれぞれ画像を記録することとした（図４のＳ９、Ｓ１５参照）。記録部３０を主走査方向と副走査方向に移動させる移動装置を、記録部３０が取り付けられた第二移動部７０を第一移動部５０に取り付けて構成することとした（図１〜図３参照）。
【００３７】
そのため、記録部３０を第一載置面領域Ｒ１と第二載置面領域Ｒ２の間をスムーズに移動させ、画像の記録を効率よく行うことができる。記録部３０を移動させる移動装置を小型化することができる。第一載置面領域Ｒ１と第二載置面領域Ｒ２を副走査方向に配置することで、第一載置面領域Ｒ１と第二載置面領域Ｒ２の間の移動と、画像記録時の副走査方向への間欠移動を、第一移動部５０で行うことができる。インクジェット記録装置１０の小型化を実現することが可能となる。
【００３８】
記録部３０を第一載置面領域Ｒ１に移動させ、第一載置面領域Ｒ１に載せ置かれた第一記録媒体１２Ａに画像を記録している際（図４のＳ３：第一載置面領域、Ｓ５、Ｓ９参照）、第二載置面領域Ｒ２に第二記録媒体１２Ｂを載せ置くことができる（図２参照）。記録部３０を第二載置面領域Ｒ２に移動させ、第二載置面領域Ｒ２に載せ置かれた第二記録媒体１２Ｂに画像を記録している際（図４のＳ３：第二載置面領域、Ｓ１１、Ｓ１５参照）、第一載置面領域Ｒ１に第一記録媒体１２Ａを載せ置くことができる（図３参照）。第一載置面領域Ｒ１に載せ置かれた第一記録媒体１２Ａへの画像の記録と、第二載置面領域Ｒ２に載せ置かれた第二記録媒体１２Ｂへの画像の記録を交互に繰り返して行うことができる。
【００３９】
＜変形例＞
本実施形態は、次のようにすることもできる。以下に示す変形例のうちの幾つかの構成は、適宜組み合わせて採用することもできる。以下の構成を採用したインクジェット記録装置によっても、上述した効果と同様の効果を得ることができる。以下では上記とは異なる点を説明することとし、同様の点についての説明は適宜省略する。
【００４０】
（１）画像の記録に用いるインクとしては、公知の各種のインクを用いることができる。例えば、活性エネルギー硬化型インクを用いることもできる。活性エネルギー硬化型インクとしては、例えば、紫外線硬化型インク又は電子線硬化型インクが挙げられる。活性エネルギー硬化型インクが用いられる場合、インクジェット記録装置１０は、上述した各部の他、活性エネルギー線を照射する照射部を備える。紫外線硬化型インクが用いられる場合、照射部は、活性エネルギー線としての紫外線を照射し、電子線硬化型インクが用いられる場合、照射部は、活性エネルギー線としての電子線を照射する。照射部から照射された活性エネルギー線は、記録媒体１２上に着弾した各色の活性エネルギー硬化型インクによるインクドットに照射される。各色のインクドットを形成する活性エネルギー硬化型インクは、活性エネルギー線の照射により硬化する。
【００４１】
上述したインクジェット記録装置１０に基づけば、照射部は、例えば、主走査方向の第三側でインクジェットヘッド３１Ｃに隣り合った状態でキャリッジ３２に取り付けられる。照射部が記録部３０に対して主走査方向の第三側に取り付けられたインクジェット記録装置１０では、記録部３０と照射部が主走査方向の第三側から第四側に移動する際、インクジェットヘッド３１Ｋ，３１Ｍ，３１Ｙ，３１Ｃにそれぞれ形成されたノズルから対応する色の活性エネルギー硬化型インクが吐出され、照射部からの活性エネルギー線が記録媒体１２に着弾した各色の活性エネルギー硬化型インクによるインクドットに照射される。インクジェット記録装置１０を記録部３０と照射部が主走査方向の第四側から第三側に移動する途中にも紫外線硬化型インクを吐出する仕様とする場合、照射部は、主走査方向において記録部３０の両側に設けられる。
【００４２】
インクジェット記録装置１０は、更に、活性エネルギー線の遮蔽を行う遮蔽機構を備える。記録部３０と照射部を第一載置面領域Ｒ１に移動させ、第一載置面領域Ｒ１に載せ置かれた第一記録媒体１２Ａに画像を記録するとする。この場合、遮蔽機構は、照射部から照射された活性エネルギー線の、第一投入領域Ｒ３から第一載置面領域Ｒ１の外部への進行と、第一載置面領域Ｒ１の側から第二載置面領域Ｒ２の側への進行を遮蔽する。第二投入領域Ｒ４は開放状態とされ、第二作業者は、第二記録媒体１２Ｂを第二投入領域Ｒ４から投入し第二載置面領域Ｒ２に載せ置く。記録部３０と照射部を第二載置面領域Ｒ２に移動させ、第二載置面領域Ｒ２に載せ置かれた第二記録媒体１２Ｂに画像を記録するとする。この場合、遮蔽機構は、照射部から照射された活性エネルギー線の、第二投入領域Ｒ４から第二載置面領域Ｒ２の外部への進行と、第二載置面領域Ｒ２の側から第一載置面領域Ｒ１の側への進行を遮蔽する。第一投入領域Ｒ３は開放状態とされ、第一作業者は、第一記録媒体１２Ａを第一投入領域Ｒ３から投入し第一載置面領域Ｒ１に載せ置く。インクジェット記録装置１０が待機状態にある場合及び／又は記録部３０と遮蔽部が第一載置面領域Ｒ１と第二載置面領域Ｒ２の間を副走査方向に移動する場合、遮蔽機構は、記録部３０及び照射部と接触しない状態へと移行する。
【００４３】
（２）上記では、制御装置９０を副走査方向の第一側に設け、副走査方向の第一側にいる第一作業者が操作部９２を操作することで、選択指令と終了指令を入力することとした（図４のＳ１、Ｓ１９：Ｙｅｓ参照）。制御装置９０に繋がる操作スイッチを副走査方向の第二側に設け、第二作業者も選択指令及び／又は終了指令を入力できるようにしてもよい。副走査方向の第二側に設けられる操作スイッチは、操作部９２を構成する。
【００４４】
（３）上記では、第一載置面領域Ｒ１と第二載置面領域Ｒ２を副走査方向に配置した載置部２０を備えるインクジェット記録装置１０を例に説明した（図１〜図３参照）。載置部は、第一載置面領域と第二載置面領域を主走査方向に配置した構成としてもよい。この場合、第一載置面領域に載せ置かれた第一記録媒体に画像を記録する際、第一記録媒体に対応して記録部を主走査方向に移動させ、第二載置面領域に載せ置かれた第二記録媒体に画像を記録する際、第二記録媒体に対応して記録部を主走査方向に移動させる移動部（上記に基づけば「第二移動部７０」に相当）は、記録部を第一載置面領域と第二載置面領域の間を移動させる移動部（上記に基づけば「第一移動部５０」に相当）を含む。即ち、画像の記録時の主走査方向の移動と第一載置面領域と第二載置面領域の間の移動は、ハードウェア的には単一の移動部（以下、「第三移動部」という）によって実現される。
【００４５】
第三移動部は、上記の第二移動部７０と同様の各部を備え、これと同様の構成を有する。従って、第三移動部に関する説明は省略する。第一載置面領域と第二載置面領域を主走査方向に配置した載置部と、第三移動部を備えるインクジェット記録装置は、更に、画像の記録時に記録部を副走査方向に間欠移動させる第四移動部を備える。第四移動部は、上記の第一移動部５０と同様の各部を備え、これと同様の構成を有する。従って、第四移動部に関する説明は省略する。第三移動部には、上記の第二移動部７０の場合と同様、キャリッジに固定された支持部を介して記録部が取り付けられる。第三移動部は、上記の第一移動部５０と第二移動部７０の場合と同様、第四移動部に取り付けられる。第四移動部は、第三移動部と共に記録部を副走査方向に移動する。
【符号の説明】
【００４６】
１０  インクジェット記録装置
１２  記録媒体
１２Ａ  第一記録媒体
１２Ｂ  第二記録媒体
２０  載置部
２１  吸引孔
３０  記録部
３１Ｋ，３１Ｍ，３１Ｙ，３１Ｃ  インクジェットヘッド
３２  キャリッジ
５０  第一移動部
５１，６１  移動機構部
５２，６２  ボールねじ
５３，６３  ナット部
５４，６４  ねじ軸
５５，６５  モータ
７０  第二移動部
７１，７２  プーリ
７３  モータ
７４  タイミングベルト
７５，７８，７９  支持部
７６  軸受
７７  回転軸
９０  制御装置
９１  制御部
９２  操作部
９３  表示部
Ｒ１  第一載置面領域
Ｒ２  第二載置面領域
Ｒ３  第一投入領域
Ｒ４  第二投入領域
【図１】
2015058553.tif 000003
【図２】
2015058553.tif 000004
【図３】
2015058553.tif 000005
【図４】
2015058553.tif 000006